(57)【要約】【課題】車室温を所定の温度範囲内に維持しながらエネルギーを有効に活用することで車両の燃費を向上させる空調制御装置を提供すること。【解決手段】空調制御装置１００は、エネルギー回収区間に関する情報を取得するエネルギー回収区間情報取得手段１２と、車室温の変化を予測する車室温変化予測手段１３と、車室温変化予測手段１３の予測結果とエネルギー回収区間に関する情報とに基づいて空調装置６を制御する空調制御手段１４とを備える。空調制御手段１４は、空調を弱めたり停止させたりした場合に車室温が許容限度となるまでに要する時間又は車室温が許容限度となるまでに車両が走行する距離を算出し、算出した時間又は距離に基づいて、車両がエネルギー回収区間に達する前に空調を弱めたり停止させたりする。【選択図】図１
2008285126.tif 000002
【特許請求の範囲】
【請求項１】
車室温の変化を予測する車室温変化予測手段と、
エネルギー回収区間に関する情報を取得するエネルギー回収区間情報取得手段と、
前記車室温変化予測手段の予測結果と前記エネルギー回収区間に関する情報とに基づいて空調装置を制御する空調制御手段と、
を備えることを特徴とする空調制御装置。
【請求項２】
前記エネルギー回収区間情報取得手段は、走行経路又は走行計画に基づいてエネルギー回収区間に関する情報を取得する、
ことを特徴とする請求項１に記載の空調制御装置。
【請求項３】
前記車室温変化予測手段は、空調を弱めたり停止させたりした場合における車室温の変化を予測する、
ことを特徴とする請求項１又は２に記載の空調制御装置。
【請求項４】
前記空調制御手段は、空調を弱めたり停止させたりした場合における前記車室温変化予測手段の予測結果に基づいて車室温が許容限度となるまでに要する時間又は車室温が許容限度となるまでに車両が走行する距離を算出し、算出した時間又は距離に基づいて、車両が前記エネルギー回収区間に達する前に空調を弱めたり停止させたりする、
ことを特徴とする請求項１乃至３の何れか一項に記載の空調制御装置。
【請求項５】
前記空調制御手段は、車両が前記エネルギー回収区間に達したときに空調を強めたり再開させたりする、
ことを特徴とする請求項１乃至４の何れか一項に記載の空調制御装置。
【請求項６】
前記空調制御手段は、設定温度を超えて空調を強めた場合における前記車室温変化予測手段の予測結果に基づいて車室温が許容限度となるまでに要する時間又は車室温が許容限度となるまでに車両が走行する距離を算出し、算出した時間又は距離に基づいて、車両が前記エネルギー回収区間の終点に達する前に設定温度を超えて空調を強める、
ことを特徴とする請求項１乃至５の何れか一項に記載の空調制御装置。
【発明の詳細な説明】
【技術分野】
【０００１】
本発明は、車両に搭載された空調装置を制御する空調制御装置に関し、特に、設定温度を含む所定の温度範囲内に車室温を維持しながらエネルギーを有効活用することで車両の燃費を向上させる空調制御装置に関する。
【背景技術】
【０００２】
従来、目的地までの道路状況に応じて燃料消費量が最小となるようにエンジン及びモータの利用スケジュールを自動的に設定するハイブリッド車両の駆動制御装置が知られている（例えば、特許文献１参照。）。
【０００３】
この駆動制御装置は、目的地までの経路上にある発進又は停止が予測される地点でその経路を複数の区間に区分し、目的地までの道路状況と各運転者の運転履歴とに基づいて区間毎に推奨車速を設定し、推奨車速とエンジンの燃料消費特性とに応じて目的地までの燃料消費量が最小となるようにエンジン及びモータの利用スケジュールを区間毎に設定する。
【０００４】
これにより、この駆動制御装置は、減速又は制動の際のエネルギー回生による燃費改善と加速の際の燃費悪化とを考慮しながら目的地までの道路状況と運転者の運転履歴とに応じたより厳密な燃料消費量を求めた上で、燃料消費量が最小となるエンジン及びモータの利用スケジュールを設定することができる。
【特許文献１】特開２０００−３３３３０５号公報
【発明の開示】
【発明が解決しようとする課題】
【０００５】
しかしながら、特許文献１に記載の駆動制御装置は、モータで消費される電気エネルギーとエンジンで燃焼される燃料とを考慮しているだけで、空調装置で消費される電気エネルギーを考慮しておらず、車両の燃費の向上を図る上で対策が不十分である。
【０００６】
上述の点に鑑み、本発明は、車室温を所定の温度範囲内に維持しながらエネルギーを有効に活用することで車両の燃費を更に向上させる空調制御装置を提供することを目的とする。
【課題を解決するための手段】
【０００７】
上述の目的を達成するために、第一の発明に係る空調制御装置は、車室温の変化を予測する車室温変化予測手段と、エネルギー回収区間に関する情報を取得するエネルギー回収区間情報取得手段と、前記車室温変化予測手段の予測結果と前記エネルギー回収区間に関する情報とに基づいて空調装置を制御する空調制御手段と、を備えることを特徴とする。これにより、近い将来の車室温の変化と回生エネルギーが生成されるタイミングとを事前に把握しながら空調の作動状態を細かく制御し、その回生エネルギーを空調装置で無駄なく活用できるようにすることで車両の燃費を更に向上させることができる。
【０００８】
また、第二の発明は、第一の発明に係る空調制御装置であって、前記エネルギー回収区間情報取得手段は、走行経路又は走行計画に基づいてエネルギー回収区間に関する情報を取得することを特徴とする。これにより、エネルギー回収区間の始点又は終点をより正確に把握しながら空調の作動状態を細かく制御し回生エネルギーを空調装置で無駄なく活用できるようにすることで車両の燃費を更に向上させることができる。
【０００９】
また、第三の発明は、第一又は第二の発明に係る空調制御装置であって、前記車室温変化予測手段は、空調を弱めたり停止させたりした場合における車室温の変化を予測することを特徴とする。これにより、空調の作動状態に応じた車室温の変化をより正確に予測しながら回生エネルギーが生成される前の期間における空調の作動状態を細かく制御し回生エネルギーを空調装置で無駄なく活用できるようにすることで車両の燃費を更に向上させることができる。
【００１０】
また、第四の発明は、第一乃至第三の何れかの発明に係る空調制御装置であって、前記空調制御手段は、空調を弱めたり停止させたりした場合における前記車室温変化予測手段の予測結果に基づいて車室温が許容限度となるまでに要する時間又は車室温が許容限度となるまでに車両が走行する距離を算出し、算出した時間又は距離に基づいて、車両が前記エネルギー回収区間に達する前に空調を弱めたり停止させたりすることを特徴とする。これにより、空調の作動を先送りするために空調を弱めたり停止させたりするタイミングをより適切に設定し、車室温をより確実に所定の温度範囲内に維持しながら、回生エネルギーを空調装置で無駄なく活用できるようにすることで、車両の燃費を更に向上させることができる。
【００１１】
また、第五の発明は、第一乃至第四の何れかの発明に係る空調制御装置であって、前記空調制御手段は、車両が前記エネルギー回収区間に達したときに空調を強めたり再開させたりすることを特徴とする。これにより、回生エネルギーの生成が開始されると同時にその回生エネルギーを空調装置で無駄なく活用できるようにすることで、車両の燃費を更に向上させることができる。
【００１２】
また、第六の発明は、第一乃至第五の何れかの発明に係る空調制御装置であって、前記空調制御手段は、設定温度を超えて空調を強めた場合における前記車室温変化予測手段の予測結果に基づいて車室温が許容限度となるまでに要する時間又は車室温が許容限度となるまでに車両が走行する距離を算出し、算出した時間又は距離に基づいて、車両が前記エネルギー回収区間の終点に達する前に設定温度を超えて空調を強めることを特徴とする。これにより、近い将来の回生エネルギーが利用できない期間における空調を前倒しで実行するために、回生エネルギーが生成されている段階において空調を強めるタイミングをより適切に設定でき、回生エネルギーを空調装置で無駄なく活用できるようにすることで車両の燃費を更に向上させることができる。
【発明の効果】
【００１３】
上述の手段により、本発明は、車室温を所定の温度範囲内に維持しながらエネルギーを有効に活用することで車両の燃費を更に向上させる空調制御装置を提供することができる。
【発明を実施するための最良の形態】
【００１４】
以下、図面を参照しつつ、本発明を実施するための最良の形態の説明を行う。
【実施例】
【００１５】
図１は、本発明に係る空調制御装置の構成例を示すブロック図であり、空調制御装置１００は、操作者（車両搭乗者）が設定した設定温度を含む所定の温度範囲内に車室温を維持しながら、回生エネルギーを効率的に利用するよう空調装置６を制御するための車載装置であって、制御装置１、周辺環境検出装置２、入力装置３、測位装置４、記憶装置５、空調装置６、表示装置７及び音声出力装置８から構成される。
【００１６】
なお、本実施例において、空調制御装置１００は、カーナビゲーションシステムに統合されているものとするが、カーナビゲーションシステムとは別個独立の装置であってもよい。
【００１７】
また、本実施例において、空調制御装置１００は、ハイブリッド車両に搭載されるものとするが、エネルギーを回生可能な発電機を備えたガソリン車両や電気自動車に搭載されていてもよい。
【００１８】
制御装置１は、ＣＰＵ（Central  Processing  Unit）、ＲＡＭ(Random  Access  Memory)、ＲＯＭ（Read Only Memory）等を備えたコンピュータであって、例えば、経路探索手段１０、走行計画生成手段１１、エネルギー回収区間情報取得手段１２、車室温変化予測手段１３及び空調制御手段１４のそれぞれに対応するプログラムをＲＯＭに記憶しながら、各手段に対応する処理をＣＰＵに実行させる。
【００１９】
周辺環境検出装置２は、車両の周辺環境の状態を検出するための装置であり、例えば、車室温センサ、外気温センサ、又は、明るさセンサ等であって、測定値を制御装置１に出力し、制御装置１が車室温の変化を予測できるようにする。なお、制御装置１による車室温の変化予測については後述する。
【００２０】
入力装置３は、空調制御装置１００に各種情報を入力するための装置であり、例えば、タッチパネル、ジョイスティック、リモートコントローラ、エスカッションボタン等であって、空調装置６に対する設定温度、許容上限温度（後述）又は許容下限温度（後述）等の入力に利用される。
【００２１】
測位装置４は、車両の位置を測定するための装置であり、例えば、ＧＰＳ(Global  Positioning  System)受信機によりＧＰＳアンテナを介してＧＰＳ衛星が出力するＧＰＳ信号を受信し、受信した信号に基づいて車両位置を測定する。
【００２２】
測位装置４による測定は、単独測位や相対測位（干渉測位を含む。）等の如何なる方法であってもよいが、好ましくは精度の高い相対測位が用いられる。この際、車両位置は、舵角センサ、車速センサ、ジャイロセンサ等の各種センサの出力や、ビーコン受信機又はＦＭ多重受信機を介して受信される各種情報に基づいて補正されてもよい。
【００２３】
記憶装置５は、制御装置１が各種演算を実行する上で必要とする情報を記憶するための装置であり、例えば、ハードディスク又はＤＶＤ(Digital  Versatile  Disk)等の記憶媒体であって、目的地までの経路を探索するために利用する地図情報データベース、又は、車室温の変化を予測するために利用する車室温情報データベース等を格納する。
【００２４】
車室温情報データベースは、車室温に関する情報を体系的に記憶したデータベースであり、例えば、車両の熱容量、冷暖房に要した熱量、冷暖房時間、過去の車室温の推移、冷暖房開始時刻、又は、冷暖房終了時刻等を記憶する。
【００２５】
空調装置６は、車室内の温度、湿度、空気の流れ等を調節する装置であり、例えば、カーエアコンであって、制御装置１が出力する制御信号に応じて設定温度、設定湿度、吹き出し口の選択、風量、風向等を制御する。
【００２６】
表示装置７は、各種情報を表示するための装置であり、例えば、液晶ディスプレイ等であって、「空調先送り処理中」若しくは「空調前倒し処理中」等の空調制御装置１００による空調装置６の制御内容（後述）、又は、空調再開までの時間、現在の車室温若しくは空調制御装置１００により節約したエネルギー量等の各種情報を表示する。
【００２７】
音声出力装置８は、各種情報を音声出力するための装置であり、例えば、車載スピーカであって、空調装置６の制御内容に関する音声案内を出力する。
【００２８】
次に、制御装置１が有する各種手段について説明する。
【００２９】
経路探索手段１０は、測位装置４が測定した車両位置（緯度、経度、高度）と入力装置３を介して入力された目的地の位置情報（緯度、経度、高度）と記憶装置５に記憶された地図情報データベースとに基づいて、所定位置（例えば、車両の現在位置である。）から目的地に至るまでの最適経路を導き出すための手段であり、例えば、最短経路探索アルゴリズムとしてダイクストラ法を用い最短経路を探索する。
【００３０】
なお、経路探索手段１０は、最短経路の他、最も早く目的地に到着できる最速経路や高速道路を利用しない経路等を探索してもよい。
【００３１】
走行計画生成手段１１は、走行計画を生成するための手段であり、例えば、エネルギー消費（電力消費及び燃料消費を含む。）を最小にするために、エンジンの回転数に応じた発電効率、燃費、又は、経路探索手段１０が探索した経路上の道路種別等に基づいて、利用する駆動力（例えば、エンジン又はモータ等による駆動力である。）、走行速度、加速区間、減速区間、定速区間等から構成される走行計画を生成する。
【００３２】
制御装置１は、走行計画生成手段１１が生成した走行計画に基づいてアクセル、ブレーキ、シフト位置等を自動制御するようにしてもよく、走行計画生成手段１１が生成した走行計画に含まれる推奨速度や減速開始地点等を表示装置７及び音声出力装置８から出力し運転を支援するようにしてもよい。
【００３３】
エネルギー回収区間情報取得手段１２は、エネルギー回収区間に関する情報を取得するための手段であり、例えば、回生ブレーキによるエネルギー回収区間に関する情報として、経路探索手段１０が探索した走行経路上の降坂区間の開始地点、終了地点、区間距離又は道路勾配等を取得する。
【００３４】
ここで、エネルギー回収区間とは、空調装置６を作動させるための余剰エネルギー（熱エネルギーとして無駄に放出されるエネルギーである。）を回収できる経路上の区間をいう。
【００３５】
また、エネルギー回収区間情報取得手段１２は、高速回転するエンジンの高効率発電によるエネルギー回収区間に関する情報として、走行計画生成手段１１が生成した走行計画に含まれる定速区間の開始地点、終了地点又は区間距離等を取得する。
【００３６】
また、エネルギー回収区間情報取得手段１２は、回生ブレーキによる電気エネルギー回収区間に関する情報として、走行計画生成手段１１が生成した走行計画に含まれる減速区間の開始地点、終了地点又は区間距離等を取得する。
【００３７】
車室温変化予測手段１３は、車室温の変化を予測するための手段であり、例えば、周辺環境検出手段２が検出した車室温、外気温又は日射量等と車室温情報データベースに記憶された車両の熱容量、冷暖房に要した熱量、冷暖房時間、過去の車室温の推移、冷暖房開始時刻、又は、冷暖房終了時刻等とに基づいて、近い将来の車室温の変化を予測する。なお、車室温変化予測手段１３は、上述の情報に加え、或いは、上述の情報に代えて、車両の走行速度、経路上の地点の高度、経路上のトンネルの有無、時刻又は天候等を考慮しながら近い将来の車室温の変化を予測するようにしてもよい。
【００３８】
空調制御手段１４は、空調装置６を制御するための手段であり、例えば、車室温変化予測手段１３の予測結果とエネルギー回収区間情報取得手段１２が取得したエネルギー回収区間に関する情報とに基づいて空調装置６を制御する。
【００３９】
例えば、空調制御手段１４は、車室温変化予測手段１３により、空調装置６による冷房を停止させると、１０分後に３℃だけ車室温が設定温度（例えば、２０℃）を上回ると予測された場合であって、測位装置４が測定した車両位置（緯度、経度、高度）とエネルギー回収区間情報取得手段１２が取得したエネルギー回収区間の位置情報（緯度、経度、高度）とに基づいて車両がエネルギー回収区間まで１０分未満の位置に達したことを検出した場合、空調装置６による冷房を停止させるようにする。
【００４０】
冷房を停止させたとしても、車両がエネルギー回収区間に達したときに冷房を再開させることで、車室温を許容上限温度（燃費の向上を優先させるために車両搭乗者が許容できるとして設定する設定温度からの高温側への逸脱度合いであり、例えば、設定温度より３℃高い温度とする。）以下に保つことができるからであり、従来ならばブレーキにより熱エネルギーとして無駄に捨ててしまっていた運動エネルギーを、空調装置６を作動させるための電気エネルギーとして有効利用できるからである。
【００４１】
これにより、空調制御装置１００は、車両がエネルギー回収区間に達し、回生ブレーキ等により電気エネルギーを発生させたときに、発生させた電気エネルギーを最大限活用しながら空調装置６による冷房を再開させるので、電気エネルギーの有効利用ひいては燃費の向上を実現させることができる。
【００４２】
また、空調制御手段１４は、車室温変化予測手段１３により、エネルギー回収区間において、車室温が設定温度（例えば、２０℃）を下回っても空調装置６による冷房をさらに強めると、５分後に３℃だけ車室温が設定温度（例えば、２０℃）を下回ると予測された場合であって、測位装置４が測定した車両位置（緯度、経度、高度）とエネルギー回収区間情報取得手段１２が取得したエネルギー回収区間の位置情報（緯度、経度、高度）とに基づいて、車両がエネルギー回収区間の終点まで５分未満の位置に達したことを検出した場合、空調装置６による冷房を強めるようにする。
【００４３】
冷房を強めたとしても、車両がエネルギー回収区間の終点に達したときに冷房を停止させることで車室温を許容下限温度（燃費の向上を優先させるために車両搭乗者が許容できるとして設定する設定温度からの低温側への逸脱度合いであり、例えば、設定温度より３℃低い温度とする。）以上に保つことができるからであり、従来ならばブレーキにより熱エネルギーとして無駄に捨ててしまっていた運動エネルギーを、空調装置６を作動させるための電気エネルギーとして有効利用できるからである。
【００４４】
これにより、空調制御装置１００は、車両がエネルギー回収区間を通過し、空調装置６による冷房を停止させた場合であっても、しばらくの間は、電気エネルギーを消費することなしに車室温を許容下限温度（設定温度より３℃高い温度とする。）以上に維持することができ、電気エネルギーの有効利用ひいては燃費の向上を実現させることができる。
【００４５】
次に、図２を参照しながら、車両がエネルギー回収区間に達する前に空調装置６による冷房を一時停止させ、冷房を作動させる時期をエネルギー回収区間到達後まで先送りする処理（以下、「冷房先送り処理」とする。）について説明する。なお、図２は、冷房先送り処理の流れを示すフローチャートであり、空調制御装置１００は、冷房先送り処理を周期的に実行するものとする。
【００４６】
また、空調制御装置１００は、設定温度から所定温度（例えば、１℃）だけ上昇した場合に空調装置６に冷房を再開させ、設定温度から所定温度（例えば、１℃）だけ下降した場合に空調装置６に冷房を一時停止させる制御（以下、「通常制御」とする。）により設定温度（例えば、２０℃）を維持させるものとし、許容上限温度（例えば、２３℃）が入力装置３を介して設定されているものとする。
【００４７】
最初に、制御装置１は、エネルギー回収区間情報取得手段１２により、経路探索手段１０が探索した最短経路や走行計画生成手段１１が生成した走行計画に基づいてエネルギー回収区間に関する情報を取得する（ステップＳ１）。
【００４８】
その後、制御装置１は、車室温変化予測手段１３により、周辺環境検出手段２が検出した車室温、外気温又は日射量等と車室温情報データベースに記憶された車両の熱容量、冷暖房に要した熱量、冷暖房時間、過去の車室温の推移、冷暖房開始時刻、又は、冷暖房終了時刻等とに基づいて、空調装置６による冷房を一時停止させたときの車室温の変化を予測する（ステップＳ２）。
【００４９】
その後、制御装置１は、空調制御手段１４により、車両が直近のエネルギー回収区間の始点に達するまでに要する時間（以下、「始点到達予測時間」とする。）と空調装置６による冷房を一時停止させたときに車室温が許容上限温度（２３℃）を上回るまでに要する時間（以下、「許容上限逸脱予測時間」とする。）とを比較し（ステップＳ３）、始点到達予測時間が許容上限逸脱予測時間以下となった場合（ステップＳ３のＹＥＳ）、空調装置６による冷房を一時停止させる（ステップＳ４）。
【００５０】
一方、始点到達予測時間が許容上限逸脱予測時間を上回った場合（ステップＳ３のＮＯ）、制御装置１は、空調装置６による通常制御をそのまま継続させる。
【００５１】
このように、空調制御装置１００は、車両搭乗者が設定した許容上限温度以下に車室温を維持できる限りにおいて、車両がエネルギー回収区間に達するまで冷房のためのエネルギー消費を先送りし、車両がエネルギー回収区間に達した段階で、従来ならば熱エネルギーとして廃棄していたエネルギーを冷房のために消費させるようにするので、車両が発生させたエネルギーの浪費を最小限に抑えることができる。
【００５２】
次に、図３を参照しながら、車両がエネルギー回収区間の終点に達する前に空調装置６による冷房を強化させ、エネルギー回収区間中に後続期間（エネルギー回収区間通過後の運転期間をいう。）のための冷房を前倒しする処理（以下、「冷房前倒し処理」とする。）について説明する。なお、図３は、冷房前倒し処理の流れを示すフローチャートであり、空調制御装置１００は、車両がエネルギー回収区間に達した後、繰り返し冷房前倒し処理を実行するものとする。
【００５３】
また、空調制御装置１００は、エネルギー回収区間中においても通常制御により設定温度（例えば、２０℃）を維持させるものとし、許容下限温度（例えば、１７℃）が入力装置３を介して設定されているものとする。
【００５４】
最初に、制御装置１は、車両がエネルギー回収区間に達し、電気エネルギーの回収を開始させた場合や（例えば、ＨＶ(Hybrid  Vehicle)車における回生ブレーキを使用した場合である。）、発電機により電気エネルギーの効率的な生成を開始させたりした場合に（例えば、ＡＴ（Automatic  Transmission）車において燃料の供給をカットしながらエンジンブレーキによる減速を開始させた場合である。）、冷房先送り処理によって一時停止させておいた空調装置６による冷房を再開させる（ステップＳ１１）。
【００５５】
その後、制御装置１は、エネルギー回収区間情報取得手段１２により、エネルギー回収区間に関する情報を取得し（ステップＳ１２）、車室温変化予測手段１３により、周辺環境検出手段２が検出した車室温、外気温又は日射量等と車室温情報データベースに記憶された車両の熱容量、冷暖房に要した熱量、冷暖房時間、過去の車室温の推移、冷暖房開始時刻、又は、冷暖房終了時刻等とに基づいて、設定温度を所定温度（例えば、１℃）以上下回った場合にも空調装置６による冷房をさらに強めたときの車室温の変化を予測する（ステップＳ１３）。
【００５６】
その後、制御装置１は、空調制御手段１４により、車両が直近のエネルギー回収区間の終点に達するまでに要する時間（以下、「終点到達予測時間」とする。）と通常制御によらず設定温度を下回っても空調装置６による冷房をさらに強めたときに車室温が許容下限温度（１７℃）を下回るまでに要する時間（以下、「許容下限逸脱予測時間」とする。）とを比較し（ステップＳ１４）、終点到達予測時間が許容下限逸脱予測時間以下となった場合（ステップＳ１４のＹＥＳ）、空調装置６による冷房を強めるようにする（ステップＳ１５）。
【００５７】
一方、終点到達予測時間が許容範囲逸脱予測時間を上回った場合（ステップＳ１４のＮＯ）、制御装置１は、通常制御により車室温を設定温度に維持させるようにする。
【００５８】
なお、空調制御装置１００は、車両がエネルギー回収区間の終点に達した時点で、空調装置６による冷房の強化を停止させ、通常制御に移行させるようにする。車室温が許容下限温度以下にならないようにするためであり、また、エネルギーが回生できない場合におけるエネルギーの消費を抑制するためである。
【００５９】
このように、空調制御装置１００は、車両がエネルギー回収区間の終点に達するまでに、車両搭乗者が設定した許容下限温度まで車室温を前もって冷やしておき、車両がエネルギー回収区間を通過した後も、電気エネルギーを追加的に消費することなく、できるだけ長期間にわたって車室温を設定温度（実際には設定温度より１℃高い温度）以下に留まらせるようにするので、車両が発生させたエネルギーの浪費を最小限に抑えることができる。
【００６０】
以上の構成により、空調制御装置１００は、車両搭乗者が設定した許容範囲内に車室温を維持しながら冷房を先送りしたり、或いは、冷房を前倒ししたりするので、車室温を所定の温度範囲内に維持しながら車両が発生させたエネルギーを有効に活用し車両の燃費を向上させることができる。
【００６１】
また、空調制御装置１００は、加速区間における冷房を加速区間に続く減速区間又は定速区間まで先送りしたり、減速区間又は定速区間に続く加速区間における冷房を前倒しして減速区間又は定速区間で作動させたりするので、車室温を所定の温度範囲内に維持しながら車両が発生させたエネルギーを有効に活用し車両の燃費を向上させることができる。
【００６２】
以上、本発明の好ましい実施例について詳説したが、本発明は、上述した実施例に制限されることはなく、本発明の範囲を逸脱することなしに上述した実施例に種々の変形及び置換を加えることができる。
【００６３】
例えば、上述の実施例において、空調制御装置１００は、車両がエネルギー回収区間に達する前に冷房を停止させて電力消費のタイミングを先送りし、エネルギー回収区間に達するまでの区間における空調装置６による電力消費を無くすようにするが、冷房を緩めることにより、エネルギー回収区間に達するまでの区間における空調装置６による電力消費を低減させるようにしてもよい。
【００６４】
また、空調制御装置１００は、車室温変化予測手段１３より車室温の変化を時間軸で捉え、許容上限逸脱予測時間又は許容上限逸脱予測時間等の各種時間を予測することで、空調装置６を制御するタイミングを決定するが、車室温の変化を距離（例えば、走行時間と走行速度との積で表される。）で捉え、許容上限逸脱予測距離又は許容上限逸脱予測距離等の各種距離を予測することで、空調装置６を制御するタイミングを決定するようにしてもよい。
【００６５】
また、空調制御装置１００は、空調装置６による冷房を制御するが、空調装置６による暖房（電気エネルギーによる暖房であり、例えば、シートヒータやステアリングヒーター等による暖房を含む。）を制御するようにしてもよい。
【００６６】
また、空調制御装置１００は、電気エネルギーを出し入れ可能な車載バッテリーの如く、熱エネルギーを出し入れ可能な容器として車室を捉え、冷房を先送りしたり、或いは、冷房を前倒ししたりして車室温を直接的に制御するが、蓄熱機や蓄冷機を用いて熱エネルギーの出し入れに時間的な幅をもたせ、例えば、エネルギー回収区間において空調装置６が発生させる冷気を蓄冷機に蓄え、エネルギー回収区間以外の区間において蓄冷機に蓄えておいた冷機により車室温を低下させるようにしながら、車室温を間接的に制御するようにしてもよい。
【００６７】
また、空調制御装置１００は、発電機又は回生ブレーキによる回生エネルギーを即時に空調装置６で消費させるようにするが、回生エネルギーの全部又は一部を車載バッテリーに蓄えた上で消費させるようにしてもよい。
【００６８】
また、空調制御装置１００は、車室温を許容限度内に維持しながら空調装置６の作動をエネルギー回収区間が開始するまで先送りしたり、エネルギー回収区間が終了するまでに前倒ししたりするが、搭乗者数や搭乗者の着座位置等を考慮しながらより積極的に空調装置６の作動を制御するようにしてもよい。例えば、運転者だけが搭乗している場合、空調制御装置１００は、後部座席周辺の車室温に対する許容限度を緩和させる（より広めに設定する）ようにしてもよい。
【図面の簡単な説明】
【００６９】
【図１】本発明に係る空調制御装置の構成例を示すブロック図である。
【図２】冷房先送り処理の流れを示すフローチャートである。
【図３】冷房前倒し処理の流れを示すフローチャートである。
【符号の説明】
【００７０】
１      制御装置
２      周辺環境検出装置
３      入力装置
４      測位装置
５      記憶装置
６      空調装置
７      表示装置
８      音声出力装置
１０    経路探索手段
１１    走行計画生成手段
１２    エネルギー回収区間情報取得手段
１３    車室温変化予測手段
１４    空調制御手段
１００  空調制御装置
【図１】
2008285126.tif 000003
【図２】
2008285126.tif 000004
【図３】
2008285126.tif 000005